(57)【要約】【課題】ソース装置で、DVD-VR規格で記録が行われたＤＶＤディスクから読み出したオーディオデータの再生出力をシンク装置において行う、シンク装置において任意のオーディオストリームを再生できる「ＤＶＤ再生システム」を提供する。【解決手段】同じコンテンツの異なるオーディオストリームのデータであるオリジナルオーディオデータを格納したOA_PCKと、アディショナルオーディオデータを格納したAA_PCKがDVD-VRディスク２の物理的に離れた位置に記録されている場合（ａ１）、ナビゲションマネージャは、ＤＶＤドライブ３のデータの読み出し動作や、ＰＳ再構成部１３のＰＳ再構成動作を制御し、オリジナルオーディオデータを格納したOA_PCKとアディショナルオーディオデータを格納したAA_PCKとが多重化されたＰＳ（ａ２）を構成し、シンク装置６に配信する。【選択図】図３
2007115305.tif 000002
【特許請求の範囲】
【請求項１】
ＤＶＤディスクからデータを読み出すソース装置と、ソース装置に伝送路を介して接続した１以上のシンク装置とを有するＤＶＤ再生システムであって、
前記ソース装置は、
前記ＤＶＤディスクに記録されているコンテンツのデータを配信データとして前記シンク装置に配信する配信手段と、
前記配信手段が配信データとしてデータを配信するコンテンツに含まれる複数のオーディオストリームのオーディオデータが、前記ＤＶＤディスクに多重化されずに記憶されている場合に、前記複数のオーディオストリームのオーディオデータを時分割多重化して、前記配信手段が配信する配信データに含める多重化手段とを有し、
前記シンク装置は、
前記配信データにオーディオデータが含まれる複数のオーディオストリームのうちの任意のオーディオストリームを選択的に再生対象オーディオストリームとして、当該再生対象オーディオストリームのオーディオデータを再生するオーディオ再生手段を有することを特徴とするＤＶＤ再生システム。
【請求項２】
請求項１記載のＤＶＤ再生システムであって、
前記ソース装置の多重化手段は、前記シンク装置へ前記配信データを配信するための前記伝送路の伝送帯域が、前記複数のオーディオデータを前記ＤＶＤディスクに記録されていた符号形式のまま時分割多重化して含めた配信データの配信に不足する場合に、前記配信手段が配信データとしてデータを配信するコンテンツに含まれる複数のオーディオストリームのうちの予め定めた優先順位に従って選定したオーディオストリームのオーディオデータを圧縮符号化した上で他のオーディオストリームのオーディオデータと時分割多重化して、前記配信手段が配信する配信データに含めることを特徴とするＤＶＤ再生システム。
【請求項３】
請求項１記載のＤＶＤ再生システムであって、
前記ＤＶＤディスクは、オーディオストリームをオリジナルオーディオストリームとして含む、当該ＤＶＤディスクに記録されたコンテンツに、新たなオーディオストリームをアディショナルオーディオストリームとして追記可能なＤＶＤディスクであって、
前記多重化手段は、前記配信手段が配信データとしてデータを配信するコンテンツに前記オリジナルオーディオストリームと前記アディショナルオーディオストリームとが含まれる場合に、前記オリジナルオーディオストリームのオーディオデータと前記アディショナルオーディオストリームのオーディオデータとを時分割多重化して、前記配信手段が配信する配信データに含めることを特徴とするＤＶＤ再生システム。
【請求項４】
請求項３記載のＤＶＤ再生システムであって、
前記ソース装置の多重化手段は、前記シンク装置へ前記配信データを配信するための前記伝送路の伝送帯域が、前記オリジナルオーディオストリームのオーディオデータと前記アディショナルオーディオストリームのオーディオデータを前記ＤＶＤディスクに記録されていた符号形式のまま時分割多重化して含めた配信データの配信に不足する場合に、オリジナルオーディオストリームのオーディオデータを圧縮符号化した上で前記アディショナルオーディオストリームのオーディオデータと時分割多重化して、配信手段が配信する配信データに含めることを特徴とするＤＶＤ再生システム。
【請求項５】
請求項４記載のＤＶＤ再生システムであって、
前記ソース装置の多重化手段は、前記シンク装置へ前記配信データを配信するための前記伝送路の伝送帯域が、当該多重化手段が圧縮符号化したオリジナルオーディオストリームのオーディオデータと、前記ＤＶＤディスクに記録されていた符号形式のままの前記アディショナルオーディオストリームのオーディオデータとを時分割多重化して含めた配信データの配信に不足する場合に、前記アディショナルオーディオストリームのオーディオデータも圧縮符号化した上で、オリジナルオーディオストリームの前記圧縮符号化したオーディオデータと時分割多重化して、配信手段が配信する配信データに含めることを特徴とするＤＶＤ再生システム。
【請求項６】
請求項１、２、３、４または５記載のＤＶＤ再生システムであって、
当該ＤＶＤ再生システムは、自動車に搭載されることを特徴とするＤＶＤ再生システム。
【請求項７】
オーディオストリームをオリジナルオーディオストリームとして含む、当該ＤＶＤディスクに記録されたコンテンツに、新たなオーディオストリームをアディショナルオーディオストリームとして追記可能なＤＶＤディスクからデータを読み出すソース装置と、ソース装置に伝送路を介して接続した１以上のシンク装置とを有するＤＶＤ再生システムにおいて、前記ＤＶＤディスク記録されている前記コンテンツを再生するＤＶＤディスクの再生方法であって、
前記ソース装置において、前記ＤＶＤディスクに記録されているコンテンツのデータを配信データとして前記シンク装置に配信するステップと、
前記ソース装置において、前記配信データとしてデータを配信するコンテンツに前記オリジナルオーディオストリームと前記アディショナルオーディオストリームとが含まれる場合に、前記オリジナルオーディオストリームのオーディオデータと前記アディショナルオーディオストリームのオーディオデータとを時分割多重化して、前記配信する配信データに含めるステップと、
前記シンク装置において、前記配信データに含まれるオリジナルオーディオストリームとアディショナルオーディオストリームのうちの任意の一方を選択的に再生対象オーディオストリームとして、当該再生対象オーディオストリームのオーディオデータを再生するステップとを有することを特徴とするＤＶＤディスクの再生方法。
【発明の詳細な説明】
【技術分野】
【０００１】
本発明は、ソース装置とシンク装置を備え、ソース装置で、ＤＶＤディスクから読み出したオーディオデータの再生出力をシンク装置において行うＤＶＤ再生システムに関するものである。
【背景技術】
【０００２】
ソース装置とシンク装置を備え、ソース装置で、ＤＶＤディスクから読み出したオーディオデータの再生出力をシンク装置において行うＤＶＤ再生システムに類似したシステムとしては、DVDディスクの読み取りを行うＤＶＤドライブを備えたソース装置と、当該ソース装置とバスやネットワークで接続した複数のシンク装置を備え、ソース装置がＤＶＤドライブを介してDVDディスクからデータを読み出して各シンク装置に転送し、各シンク装置において転送されたデータが表すオーディオを出力するシステムが知られている（たとえば、特許文献１）。
【特許文献１】特表２００２-５３５１９７号公報
【発明の開示】
【発明が解決しようとする課題】
【０００３】
さて、ソース装置でＤＶＤディスクから読み出したオーディオデータの再生出力をシンク装置において行うＤＶＤ再生システムを構成する場合、ソース装置から各シンク装置に転送するデータとして、ＤＶＤディスクに記録されているオーディオデータを多重化したＰＳ（Program Stream)と同様な構成を持つＰＳを用い、各シンク装置においてそれぞれ転送されたＰＳをデコードして出力することが考えられる。
【０００４】
しかしながら、ＤＶＤディスクが、記録したコンテンツの編集（追記、削除）が可能なDVD-VRなどの規格に従ってコンテンツを記録したものである場合、同じコンテンツに属する複数のオーディオストリームがＤＶＤディスクに多重化されて記録されておらず、ＤＶＤディスク上の物理的に離れた箇所に記憶されている場合がある。たとえば、画像と音声を同時に記録したコンテンツに、後から音声を追加したような場合、後から追加した音声は、先に記録した画像や音声とは多重化されずに、記録時において存在している空き領域に記録される。
【０００５】
したがって、このような場合、あるコンテンツの再生時に、ソース装置から各シンク装置にＤＶＤディスクに記録されている当該コンテンツのＰＳをそのまま転送したのでは、各シンク装置において当該コンテンツに含まれる任意の選択的にオーディオストリームを再生することができなくなる。
【０００６】
そこで、本発明は、ソース装置がＤＶＤディスクから読み出したオーディオデータの再生出力をシンク装置において行うＤＶＤ再生システムにおいて、ＤＶＤディスク上に多重化されずに記録された複数のオーディオストリームを含むコンテンツについても、シンク装置において、当該コンテンツの任意のオーディオストリームを選択的に再生できるようにすることを課題とする。
【課題を解決するための手段】
【０００７】
前記課題達成のために本発明は、ＤＶＤディスクからデータを読み出すソース装置と、ソース装置に伝送路を介して接続した１以上のシンク装置とを有するＤＶＤ再生システムにおいて、前記ソース装置に、前記ＤＶＤディスクに記録されているコンテンツのデータを配信データとして前記シンク装置に配信する配信手段と、前記配信手段が配信データとしてデータを配信するコンテンツに含まれる複数のオーディオストリームのオーディオデータが、前記ＤＶＤディスクに多重化されずに記憶されている場合に、前記複数のオーディオストリームのオーディオデータを時分割多重化して、前記配信手段が配信する配信データに含める多重化手段とを設け、前記シンク装置に、前記配信データにオーディオデータが含まれる複数のオーディオストリームのうちの任意のオーディオストリームを選択的に再生対象オーディオストリームとして、当該再生対象オーディオストリームのオーディオデータを再生するオーディオ再生手段を設けたものである。
【０００８】
このようなＤＶＤ再生システムによれば、ＤＶＤディスク上の物理的に離れた箇所に同じコンテンツに属する複数のオーディオストリームが記憶されている場合でも、ソース装置において各オーディオストリームのオーディオデータが時分割多重化されてシンク装置に配信されるので、シンク装置において当該コンテンツに含まれる任意のオーディオストリームを選択的に再生することができるようになる。
【０００９】
ここで、このようなＤＶＤ再生システムは、前記ソース装置の多重化手段において、前記シンク装置へ前記配信データを配信するための前記伝送路の伝送帯域が、前記複数のオーディオデータを前記ＤＶＤディスクに記録されていた符号形式のまま時分割多重化して含めた配信データの配信に不足する場合に、前記配信手段が配信データとしてデータを配信するコンテンツに含まれる複数のオーディオストリームのうちの予め定めた優先順位に従って選定したオーディオストリームのオーディオデータを圧縮符号化した上で他のオーディオストリームのオーディオデータと時分割多重化して、前記配信手段が配信する配信データに含めるようにして、前記伝送路の伝送帯域が不足する場合でも、できるだけシンク装置におけるオーディオストリームのシームレスな再生が行えるようにすることが好ましい。
【００１０】
また、このようなＤＶＤ再生システムにおいて、前記ＤＶＤディスクは、オーディオストリームをオリジナルオーディオストリームとして含む、当該ＤＶＤディスクに記録されたコンテンツに、新たなオーディオストリームをアディショナルオーディオストリームとして追記可能なＤＶＤディスクであってよく、この場合、ＤＶＤ再生システムは、前記多重化手段において、前記配信手段が配信データとしてデータを配信するコンテンツに前記オリジナルオーディオストリームと前記アディショナルオーディオストリームとが含まれる場合に、前記オリジナルオーディオストリームのオーディオデータと前記アディショナルオーディオストリームのオーディオデータとを時分割多重化して、前記配信手段が配信する配信データに含めるように構成する。
【００１１】
このようにすることにより、記録したコンテンツの編集（追記、削除）が可能なDVD-VR規格などに従ってコンテンツが記録されたＤＶＤディスクにおいて、多重化されて記録されていないオリジナルオーディオストリームとアディショナルオーディオストリームについても、シンク装置において、選択的に任意の一方のオーディオストリームを再生することができるようになる。
【００１２】
また、この場合には、前記ソース装置の多重化手段において、前記シンク装置へ前記配信データを配信するための前記伝送路の伝送帯域が、前記オリジナルオーディオストリームのオーディオデータと前記アディショナルオーディオストリームのオーディオデータを前記ＤＶＤディスクに記録されていた符号形式のまま時分割多重化して含めた配信データの配信に不足する場合に、オリジナルオーディオストリームのオーディオデータを圧縮符号化した上で前記アディショナルオーディオストリームのオーディオデータと時分割多重化して、配信手段が配信する配信データに含めるようにしてもよい。また、このようなオリジナルオーディオストリームのオーディオデータの圧縮符号化を行う場合には、前記ソース装置の多重化手段において、前記シンク装置へ前記配信データを配信するための前記伝送路の伝送帯域が、当該多重化手段が圧縮符号化したオリジナルオーディオストリームのオーディオデータと、前記ＤＶＤディスクに記録されていた符号形式のままの前記アディショナルオーディオストリームのオーディオデータとを時分割多重化して含めた配信データの配信に不足する場合に、前記アディショナルオーディオストリームのオーディオデータも圧縮符号化した上で、オリジナルオーディオストリームの前記圧縮符号化したオーディオデータと時分割多重化して、配信手段が配信する配信データに含めるようにすることが好ましい。
【００１３】
これらのオーディオ再生システムによれば、前記伝送路の伝送帯域が不足する場合でも、ユーザが再生対象オーディオストリームとして選定する蓋然性の大きいアディショナルストリームのオーディオデータをできるだけ圧縮符号化しないようにしつつ、できるだけシンク装置においてオーディオストリームのシームレスな再生が行えるようにすることができる。
【００１４】
なお、以上のＤＶＤ再生システムや、ＤＶＤオーディオ再生システムは、自動車に搭載されるものであってよい。
【発明の効果】
【００１５】
以上のように、本発明によれば、ソース装置がＤＶＤディスクから読み出したオーディオデータの再生出力をシンク装置において行うＤＶＤ再生システムにおいて、ＤＶＤディスク上に多重化されずに記録された複数のオーディオストリームを含むコンテンツについても、シンク装置で当該コンテンツの任意のオーディオストリームを選択的に再生することができるようになる。
【発明を実施するための最良の形態】
【００１６】
以下、本発明の実施形態に係るＤＶＤ再生システムについて、自動車に搭載されるＤＶＤ再生システムへの適用を例にとり説明する。なお、以下の説明では、DVD-VR規格で記録が行われたDVD-RやDVD-RWなどのＤＶＤディスクを、便宜上、「DVD-VRディスク」と呼ぶ。
【００１７】
さて、図１に、本実施形態に係るＤＶＤ再生システムの構成を示す。
図示するように、ＤＶＤ再生システムは、ソース装置１、ソース装置１の外部記憶装置として、装着されたDVD-VRディスク２のアクセスを行うＤＶＤドライブ３、車載ＬＡＮ４、車載ＬＡＮ４に接続したユーザインタフェースユニット５を備えている。また、ＤＶＤ再生システムは、車載ＬＡＮ４に接続したシンク装置６、シンク装置６から入力する動画や静止画やビジュアルメニューなどのビジュアルコンテンツを表示する表示装置７、シンク装置６から入力する音声を出力する音声出力装置８のセットを１または複数備えている。
【００１８】
なお、車載ＬＡＮ４には、他のシステムを構成する装置も接続されていてもよい。
次に、図２に、ソース装置１とシンク装置６の内部構成を示す。
図示するように、ソース装置１は、ナビゲーションマネージャ１１、制御情報メモリ１２、ＰＳ再構成部１３、送信バッファ１４、車載ＬＡＮインタフェース１５とを有している。また、ＰＳ再構成部１３は、ＰＳ多重分離部１３１（PS-Demux１３)、オリジナルオーディオエンコーダ１３２、アディショナルオーディオエンコーダ１３３、再多重化用バッファ１３４、ＰＳ多重化部１３５（PS-Mux１５)を備えている。
【００１９】
次に、シンク装置６は、ローカル車載ＬＡＮインタフェース６１と、デコードマネージャ６２と、ローカル制御情報メモリ６３と、受信バッファ６４と、プレゼンテーションエンジン６５とを有する。そして、プレゼンテーションエンジン６５は、ローカルＰＳ多重分離部６５１、ビジュアルデータデコーダ６５２、オーディオデコーダ６５３を有している。
【００２０】
ここで、DVD-VRディスク２には、ユーザに対して出力するプレゼンテーションの実体を格納したプレゼンテーションデータと、プレゼンテーションの実行を制御するためのナビゲーションデータが格納されている。そして、プレゼンテーションデータは、動画や静止画やビジュアルメニューなどのビジュアルデータやオーディオデータといったデータの種類毎にデータを格納したPACKを多重化した、図３ａ１に示すようなＰＳ（Program Stream）に含められてDVD-VRディスク２に記録されている。なお、図３ａ１において、ビジュアルデータパックVD_PCKは、動画や静止画やビジュアルメニューなどのビジュアルデータが格納されたPACKを、OA_PCKは、VD_PCKに格納されたビジュアルデータと並行して記録されたオーディオストリームのデータであるオリジナルオーディオデータが格納されたPACKを、AA_PCKは、VD_PCKに格納されたビジュアルデータやOA_PCKに格納されたオリジナルオーディオデータが含まれるコンテンツの一部として後に追加されたオーディオストリーム（いわゆるアフレコ音声のストリーム）のデータであるアディショナルオーディオデータが格納されたPACKを表している。ここで、図示するように、オリジナルオーディオデータを格納したOA_PCKとアディショナルオーディオデータを格納したAA_PCKは、両者が同じコンテンツの異なるオーディオストリームのデータであっても多重化されて記憶されず、DVD-VRディスク２の物理的に離れた位置に記録されている。
【００２１】
なお、以上のようなプレゼンテーションデータの他、ナビゲーションデータの一部もＰＳを構成するPACKに格納される。
さて、このような構成において、ソース装置１のＰＳ再構成部１３は、以下のＰＳ再構成動作を行う。
すなわち、ＰＳ多重分離部１３１は、ＤＶＤドライブ３を介してDVD-VRディスク２から入力するＰＳから各PACKに多重分離する。また、ＰＳ多重分離部１３１は、分離したVD_PCKのビジュアルデータを再多重化用バッファ１３４に書き込む。また、オリジナルオーディオエンコーダ１３２は、ＰＳ多重分離部１３１が分離したOA_PCKのオリジナルオーディオデータを圧縮符号化して、または、圧縮符号化せずに、再多重化用バッファ１３４に書き込む。また、アディショナルオーディオエンコーダ１３３は、ＰＳ多重分離部１３１が分離したAA_PCKのアディショナルオーディオデータを圧縮符号化して、または、圧縮符号化せずに、再多重化用バッファ１３４に書き込む。
【００２２】
そして、ＰＳ多重化部１３５は、再多重化用バッファ１３４に格納されたビジュアルデータ、オリジナルオーディオデータ、アディショナルオーディオデータをPACK化して多重化してＰＳを再構成し、送信バッファ１４、車載ＬＡＮインタフェース１５を介して各シンク装置６に配信する。
【００２３】
なお、ＰＳ再構成部１３は、以下のＰＳ再構成動作の他、ＰＳ多重分離部１３１において、ナビゲーションデータを格納したPACKに格納されているデータをナビゲーションマネージャ１１に送る処理も行う。また、ＰＳ多重化部１３５において、後述する配信制御情報をナビゲーションマネージャ１１より受け取った場合には、この配信制御情報を各シンク装置６に配信するＰＳに多重化する処理も行う。
【００２４】
一方、ソース装置１において、ナビゲーションマネージャ１１は、ＤＶＤドライブ３を介してDVD-VRディスクから読み出したＰＳ外のナビゲーションデータやＰＳ多重分離部１３１から送られたナビゲーションデータに基づいて、DVD-VRディスク２のＰＳの再生シーケンスの決定や、決定した再生シーケンスに従った、DVD-VRディスク２からのＰＳの読み出しの制御や、ＰＳ再構成部１３の前述したＰＳ再構成動作の制御などを行う。このＰＳ再構成動作の制御の詳細については後述する。
【００２５】
また、ナビゲーションマネージャ１１は、取得したナビゲーションデータや、現在の再生制御状態を表すシステムパラメータを、制御情報メモリ１２に保持管理すると共に、シンク装置６においてＰＳのデコードに必要となるシステムパラメータやナビゲーションデータを前述した配信制御情報として、ＰＳ多重化部１３５に送る。
【００２６】
次に、各シンク装置６において、プレゼンテーションエンジン６５は、以下のデコード動作を行う。
すなわち、プレゼンテーションエンジン６５の、ローカルＰＳ多重分離部６５１は、ローカル車載ＬＡＮインタフェース６１がソース装置１から受信したＰＳを、受信バッファ６４を介して読み込んで多重分離し、VD_PCKのデータをビジュアルデータデコーダ６５２に送る。また、ローカルＰＳ多重分離部６５１は、OA_PCKのオリジナルオーディオデータまたはAA_PCKのアディショナルオーディオデータうちの、デコードマネージャ６２から指定されたオーディオストリームに対応する方のオーディオデータをオーディオデコーダ６５３に送る。そして、ビジュアルデータデコーダ６５２は、受け取ったビジュアルデータが表す動画や静止画やビジュアルメニューをデコードし表示装置７に表示する。また、オーディオデコーダ６５３は、受け取ったオーディオデータをデコードし、音声出力装置８に出力する。
【００２７】
また、プレゼンテーションエンジン６５のローカルＰＳ多重分離部６５１は、以上のデコード動作の他、ソース装置１から受信したＰＳから配信制御情報を分離してデコードマネージャ６２に送る処理も行う。
そして、デコードマネージャ６２は、ローカルＰＳ多重分離部６５１から通知された配信制御情報を用いながら、以上に示したプレゼンテーションエンジン６５のデコード動作を制御する。なお、ローカルＰＳ多重分離部６５１から通知された配信制御情報は、ローカル制御情報メモリ６３を用いて保持管理する。
【００２８】
ここで、シンク装置６におけるローカルＰＳ多重分離部６５１からオーディオデコーダ６５３に送り、デコードして出力するオーディオデータのオーディオストリーム（A_PCKのオリジナルオーディオデータまたはAA_PCKのアディショナルオーディオデータ）は、ユーザインタフェースユニット５で受け付けたユーザ操作に応じて選定する。
【００２９】
すなわち、ユーザインタフェースユニット５は、ユーザ操作を受け付けると、受け付けたユーザ操作の内容を車載ＬＡＮ４を介して、ユーザ操作の対象となったシンク装置６のデコードマネージャ６２に通知する。そして、通知を受けたデコードマネージャ６２は、通知されたユーザ操作に応じて、ローカルＰＳ多重分離部６５１からオーディオデコーダ６５３に送るオーディオデータのオーディオストリームを選定する。
【００３０】
ただし、このシンク装置６におけるユーザ操作に応じたオーディオストリームの選定は、以下のように行うようにしてもよい。
すなわち、ユーザインタフェースユニット５が、ユーザ操作を受け付けると、受け付けたユーザ操作の内容を車載ＬＡＮ４を介してソース装置１に送る。ソース装置１のナビゲーションマネージャ１１は、受け取ったユーザ操作の対象となっているシンク装置６の識別を伴わせて、当該ユーザ操作の内容に応じて定まるオーディオストリームの指定を、前記配信制御情報に含めてシンク装置６に配信する。そして、シンク装置６のデコードマネージャ６２は、ローカルＰＳ多重分離部６５１から受け取った配信制御情報に自シンク装置の識別を伴うオーディオストリームの指定が含まれている場合には、当該指定に従って、ローカルＰＳ多重分離部６５１からオーディオデコーダ６５３に送るオーディオデータのオーディオストリームを選定する。
【００３１】
以下、前述したソース装置１のナビゲーションマネージャ１１におけるＰＳ再構成部１３の前述したＰＳ再構成動作の制御動作について説明する。
ナビゲーションマネージャ１１は、再生対象のコンテンツが、当該コンテンツに含まれる複数のオーディオストリームのデータ（オリジナルオーディオデータを格納したOA_PCKと、アディショナルオーディオデータを格納したAA_PCK）が図３ａ１に示すようにDVD-VRディスク２の物理的に離れた位置に異なる記録されているコンテンツである場合に、ＤＶＤドライブ３のDVD-VRディスク２からのデータの読み出しや、ＰＳ多重化部１３５の再多重化用バッファ１３４に格納された各データの多重化動作を制御して、オリジナルオーディオデータを格納したOA_PCKとアディショナルオーディオデータを格納したAA_PCKとが、図３ａ２に示すように時分割多重化されたＰＳがＰＳ多重化部１３５によって構成されるようにする。
この図３ａ２に示すようなＰＳの再構成は、より具体的には、図３ａ１のDVD-VRディスク２上のPACKを、図３ａ２に示すＰＳ内に当該PACKのデータを多重化する順序でDVD-VRディスク２から読み出して、各PACKに格納されているデータを再多重化用バッファ１３４へ書き込むと共に、再多重化用バッファ１３４に格納されている各PACKのデータを、そのままの順序で読み出して、ＰＳ多重化部１３５においてPACK化して多重化ことによって実現することもできるし、DVD-VRディスク２からの再生対象のコンテンツの各PACKの読み出し及び再多重化用バッファ１３４への書き込み順序を各PACKの記録位置順としたまま、図３ａ２に示すＰＳ内に含める順序で、再多重化用バッファ１３４から各PACKのデータを読み出し、ＰＳ多重化部１３５においてPACK化して多重化することによっても実現することができる。
【００３２】
また、ナビゲーションマネージャ１１は、DVD-VRディスク２から読み出したオリジナルオーディオデータやアディショナルオーディオデータの圧縮符号化の要否を判定し、圧縮符号化が必要とされた場合には、オリジナルオーディオエンコーダ１３２やアディショナルオーディオエンコーダ１３３を制御して、DVD-VRディスク２から読み出したオリジナルオーディオデータやアディショナルオーディオデータを圧縮多重化した上で、ＰＳ多重化部１３５で、オリジナルオーディオデータを格納したOA_PCKと、アディショナルオーディオデータを格納したAA_PCKとを多重化したＰＳを再構成する処理も行う。
【００３３】
すなわち、たとえば、オリジナルオーディオデータの圧縮符号化が必要と判定された場合には、ナビゲーションマネージャ１１は、ＰＳ再構成部１３が以下の動作を行うよう制御を行う。
すなわち、図３ｂ１のようにDVD-VRディスク２上の複数のOA_PCKに分割されて格納されているオリジナルオーディオデータが、ＰＳ多重分離部１３１からオリジナルオーディオエンコーダ１３２に入力されると、オリジナルオーディオエンコーダ１３２は、図３ｂ２に示すように、この入力したオリジナルオーディオデータを圧縮符号化し、再多重化用バッファ１３４に格納する。また、図３ｂ１のようにDVD-VRディスク２上の複数のAA_PCKに分割されて格納されているアディショナルオーディオデータがＰＳ多重分離部１３１からアディショナルオーディオエンコーダ１３３に入力されると、アディショナルオーディオエンコーダ１３３は、この入力したアディショナルオーディオデータを、図３ｂ２に示すように、そのまま再多重化用バッファ１３４に格納する。
【００３４】
そして、再多重化用バッファ１３４からオリジナルオーディオデータとアディショナルオーディオデータを交互に読み出し、図３ｂ３に示すようにＰＳ多重化部１３５において順次PACK化して多重化する。
【００３５】
なお、アディショナルオーディオデータを圧縮符号化する場合には、アディショナルオーディオデータは図３ｂのオリジナルオーディオデータと同様に処理され、オリジナルオーディオデータを圧縮符号化しない場合には、オリジナルオーディオデータは図３ｂのアディショナルオーディオデータと同様に処理される。
【００３６】
さて、ナビゲーションマネージャ１１は、このようなDVD-VRディスク２から読み出したオリジナルオーディオデータやアディショナルオーディオデータの圧縮符号化の要否を図４に手順を示す圧縮制御処理によって決定する。
以下、この圧縮制御処理について説明する。なお、この圧縮制御処理は、再生対象となるコンテンツが変化する度に、再生対象となったコンテンツについて実行される。
図示するように、この処理では、シンク装置６へのＰＳ配信用に車載ＬＡＮ４上に確保できる伝送帯域が、オリジナルオーディオデータとアディショナルオーディオデータをDVD-VRディスク２に記録されているコード形式のまま、シンク装置６においてシームレスに再生できるように（オーディオデータの配信の遅延のために、シンク装置６において再生するオーディオデータが存在しなくなってしまう状況が発生しないように）配信するのに不足しているかどうかを判定し（ステップ４０２）、不足していなければ、オリジナルオーディオデコーダとアディショナルオーディオエンコーダ１３３に、圧縮符号化を行わないように設定し（ステップ４１４）、処理を終了する。
【００３７】
一方、ステップ４０２で不足していると判定された場合には、DVD-VRディスク２に記録されているオリジナルオーディオデータのコード形式が非圧縮コード形式であるリニアＰＣＭ（ＬＰＣＭ）であるかどうかを調べ（ステップ４０４）、リニアＰＣＭでなければ、すなわち既に圧縮符号化されてDVD-VRディスク２に記録されていれば、オリジナルオーディオエンコーダ１３２にオリジナルオーディオデータの圧縮符号化を行わないように設定する（ステップ４１６）。そして、DVD-VRディスク２に記録されているアディショナルオーディオデータのコード形式がリニアＰＣＭ（ＬＰＣＭ）であるかどうかを調べ（ステップ４１０）、アディショナルオーディオデータのコード形式がリニアＰＣＭ（ＬＰＣＭ）でなければ、すなわち、既に圧縮符号化されてDVD-VRディスク２に記録されていれば、アディショナルオーディオエンコーダ１３３にアディショナルオーディオデータの圧縮符号化を行わないように設定して（ステップ４１２）処理を終了し、アディショナルオーディオデータのコード形式がリニアＰＣＭ（ＬＰＣＭ）であればアディショナルオーディオエンコーダ１３３にアディショナルオーディオデータの圧縮符号化を行うように設定して（ステップ４１８）処理を終了する。
【００３８】
次に、ステップ４０４において、オリジナルオーディオデータのコード形式が非圧縮コードであるリニアＰＣＭ（ＬＰＣＭ）であると判定された場合には、オリジナルオーディオエンコーダ１３２にオリジナルオーディオデータの圧縮符号化を行うように設定する（ステップ４０６）。そして、シンク装置６へのＰＳ配信用に車載ＬＡＮ４上に確保できる伝送帯域が、圧縮符号化したオリジナルオーディオデータとDVD-VRディスク２に記録されているコード形式のままのアディショナルオーディオとを、シンク装置６においてシームレスに再生できるように配信するのに不足しているかどうかを判定し（ステップ４０８）、不足していない場合には、アディショナルオーディオエンコーダ１３３にアディショナルオーディオデータの圧縮符号化を行わないように設定して（ステップ４１２）処理を終了する。
【００３９】
一方、ステップ４０８において不足していると判定された場合には、DVD-VRディスク２に記録されているアディショナルオーディオデータのコード形式がリニアＰＣＭ（ＬＰＣＭ）であるかどうかを調べ（ステップ４１０）、アディショナルオーディオデータのコード形式がリニアＰＣＭ（ＬＰＣＭ）でなければアディショナルオーディオエンコーダ１３３にアディショナルオーディオデータの圧縮符号化を行わないように設定して（ステップ４１２）処理を終了し、アディショナルオーディオデータのコード形式がリニアＰＣＭ（ＬＰＣＭ）であればアディショナルオーディオエンコーダ１３３にアディショナルオーディオデータの圧縮符号化を行うように設定して（ステップ４１８）処理を終了する。
【００４０】
以上、本発明の実施形態について説明した。
以上のように、本実施形態によれば、DVD-VRディスクの物理的に離間した位置に記録されている、同じコンテンツに属するオリジナルオーディオストリームとがアディショナルオーディオストリームのオーディオデータをソース装置１において多重化してシンク装置６に配信するので、シンク装置６において、再生中のコンテンツのオリジナルオーディオストリームとアディショナルオーディオストリームとの二つのオーディオストリームの内の任意のオーディオストリームを選択的に再生することができる。
【００４１】
また、ソース装置１からシンク装置６へのＰＳ配信用に車載ＬＡＮ４上に確保できる伝送帯域が、オリジナルオーディオデータとアディショナルオーディオデータをシンク装置６においてシームレスに再生できるように配信するのに不足している場合には、それが可能な場合にはオリジナルオーディオデータを圧縮符号化して配信すると共に、オリジナルオーディオデータが圧縮符号化できない場合またはオリジナルオーディオデータを圧縮符号化しても伝送帯域が不足する場合には、さらにアディショナルオーディオデータを圧縮符号化して配信する。したがって、ユーザが再生対象オーディオストリームとして選定する蓋然性の大きいアディショナルストリームのオーディオデータをできるだけ圧縮符号化しないようにしつつ、できるだけシンク装置６において選択的に任意のオーディオストリームのシームレスな再生が行えるようにすることができる。なお、アディショナルストリームは、ユーザがコンテンツの記録の後にわざわざ追記したオーディオストリームであるので、ユーザにとってより再生の意義のあるオーディオストリームであると推定できる。たとえば、一般的には、一般ユーザによるアディショナルオーディオストリームの追記は、アディショナルオーディオストリームで、オリジナルオーディオストリームを置き換えるために行われる場合が多い。
【図面の簡単な説明】
【００４２】
【図１】本発明の実施形態に係るＤＶＤ再生システムの構成を示すブロック図である。
【図２】本発明の実施形態に係るソース装置とシンク装置の構成を示すブロック図である。
【図３】本発明の実施形態に係るＤＶＤ再生システムのソース装置におけるＰＳ再構成動作例を示す図である。
【図４】本発明の実施形態に係るＤＶＤ再生システムのソース装置が行う圧縮制御処理を示すフローチャートである。
【符号の説明】
【００４３】
１…ソース装置、２…DVD-VRディスク、３…ＤＶＤドライブ、４…車載ＬＡＮ、５…ユーザインタフェースユニット、６…シンク装置、７…表示装置、８…音声出力装置、１１…ナビゲーションマネージャ、１２…制御情報メモリ、１３…ＰＳ再構成部、１４…送信バッファ、１５…車載ＬＡＮインタフェース、６１…ローカル車載ＬＡＮインタフェース、６２…デコードマネージャ、６３…ローカル制御情報メモリ、６４…受信バッファ、６５…プレゼンテーションエンジン、１３１…ＰＳ多重分離部、１３２…オリジナルオーディオエンコーダ、１３３…アディショナルオーディオエンコーダ、１３４…再多重化用バッファ、１３５…ＰＳ多重化部、６５１…ローカルＰＳ多重分離部、６５２…ビジュアルデータデコーダ、６５３…オーディオデコーダ。
【図１】
2007115305.tif 000003
【図２】
2007115305.tif 000004
【図３】
2007115305.tif 000005
【図４】
2007115305.tif 000006